(57)【要約】【課題】ドライブレコーダに対する信頼性を高めることが可能なドライブレコーダを提供する。【解決手段】車両に搭載されたカメラ２１が撮影した画像を記録メディア４０に書込み可能なドライブレコーダ１０であって、記録メディア４０が着脱自在に装着されるインタフェース１６と、インタフェース１６に装着された記録メディア４０が特定の記録メディアであるか否かを識別する識別部１１と、識別部１１により記録メディア４０が特定の記録メディアではないと識別された場合に、所定の報知情報をユーザに報知する報知部１１と、を備えることを特徴とする。【選択図】図３
2014241038.tif 000002
【特許請求の範囲】
【請求項１】
車両に搭載されたカメラが撮影した画像を記録メディアに書込み可能なドライブレコーダであって、
前記記録メディアが着脱自在に装着されるインタフェースと、
前記インタフェースに装着された前記記録メディアが特定の記録メディアであるか否かを識別する識別部と、
前記識別部により前記記録メディアが前記特定の記録メディアではないと識別された場合に、所定の報知情報をユーザに報知する報知部と、
を備えることを特徴とするドライブレコーダ。
【請求項２】
前記識別部は、前記記録メディアに呼び掛け信号を出力し、この呼び掛け信号に応じて前記記録メディアから出力される応答信号に基づいて、前記記録メディアが前記特定の記録メディアであるか否かを識別する、
ことを特徴とする請求項１に記載のドライブレコーダ。
【請求項３】
前記特定の記録メディアは、シングルレベルセル型のフラッシュメモリを有するＳＤメモリカードであり、
前記応答信号は、前記ＳＤメモリカードに付与されたプロダクトコード、ロットナンバー、シリアルナンバーの少なくともいずれかを含む、
ことを特徴とする請求項２に記載のドライブレコーダ。
【請求項４】
前記識別部は、前記ドライブレコーダの起動時に、前記記録メディアが前記特定の記録メディアであるか否かを識別する、
ことを特徴とする請求項１から３のいずれか一つに記載のドライブレコーダ。
【請求項５】
前記記録メディアが前記インタフェースに装着されたか否かを判定する装着判定部をさらに備え、
前記識別部は、前記装着判定部により前記記録メディアが前記インタフェースに装着されたと判定された場合に、前記記録メディアが前記特定の記録メディアであるか否かを識別する、
ことを特徴とする請求項１から４のいずれか一つに記載のドライブレコーダ。
【発明の詳細な説明】
【技術分野】
【０００１】
本発明は、車両に搭載されるドライブレコーダに関する。
【背景技術】
【０００２】
特許文献１には、車載カメラが撮影した画像を車両の運転状態情報とともに内蔵メモリに記録するドライブレコーダが開示されている。
【先行技術文献】
【特許文献】
【０００３】
【特許文献１】特開２０１０−１８２２１２号公報
【発明の概要】
【発明が解決しようとする課題】
【０００４】
このようなドライブレコーダは、事故等の所定イベント発生時に、内蔵メモリに記録されている各種データ（記録情報）を、メモリカードインタフェースに挿入されているＳＤメモリカードに書き込むように構成されている。
【０００５】
ＳＤメモリカードには様々な仕様のものがあるが、ドライブレコーダで使用されるＳＤメモリカードには機械的強度に優れ、情報書き換え寿命（情報更新可能回数）が長い高性能なものが最適である。
【０００６】
しかしながら、上記した従来のドライブレコーダでは、レコーダに挿入されているＳＤメモリカードが高性能タイプのＳＤメモリカードであるか否かの判別を行っていない。そのため、使用されているＳＤメモリカードが高性能なものではない場合、予想よりも早い時期に、ＳＤメモリカードが破損したり、ＳＤメモリカードに記録されている各種データが消失したりするおそれがある。その結果、ドライブレコーダの内蔵メモリからＳＤメモリカードに各種データを書き込むことができなくなり、ドライブレコーダに対する信頼性が低下してしまう。
【０００７】
そこで、本発明は、上記の問題点に鑑みてなされたものであり、ドライブレコーダに対する信頼性を高めることが可能なドライブレコーダを提供することを目的とする。
【課題を解決するための手段】
【０００８】
本発明は、車両に搭載されたカメラが撮影した画像を記録メディアに書込み可能なドライブレコーダであって、前記記録メディアが着脱自在に装着されるインタフェースと、前記インタフェースに装着された前記記録メディアが特定の記録メディアであるか否かを識別する識別部と、前記識別部により前記記録メディアが前記特定の記録メディアではないと識別された場合に、所定の報知情報をユーザに報知する報知部と、を備えることを特徴とする。
【発明の効果】
【０００９】
本発明によるドライブレコーダは、記録メディアが特定の記録メディアでない場合に所定の報知情報を報知するように構成されているので、当該ドライブレコーダでの使用に適した記録メディアを認識することができ、レコーダシステムを構成するドライブレコーダに対する信頼性を高めることが可能となる。
【図面の簡単な説明】
【００１０】
【図１】本発明の実施形態によるドライブレコーダを備えるレコーダシステムの概略構成図である。
【図２】車両側システムを示すブロック図である。
【図３】ドライブレコーダが備えるコントローラが実行する第１カード識別処理を示すフローチャートである。
【図４】事業所側システムのコンピュータが実行する第２カード識別処理を示すフローチャートである。
【発明を実施するための形態】
【００１１】
以下、図１から図４を参照して、本実施形態によるドライブレコーダ１０及びコンピュータ５１を備えるレコーダシステム１について説明する。
【００１２】
図１に示すように、レコーダシステム１は、車両に搭載される機器から構成される車両側システム１Ａと、車両を管理する事業所等に設置される機器から構成される事業所側システム１Ｂと、を備える。
【００１３】
車両側システム１Ａは、車両前方の様子を撮影するカメラ２１と、車内に設けられ、カメラ２１が撮影した画像を画像データとして内蔵メモリに記録するドライブレコーダ１０と、を備える。ドライブレコーダ１０は、記録メディアであるＳＤメモリカード４０が着脱自在に装着されるメモリカードインタフェース１６を有している。ドライブレコーダ１０は、メモリカードインタフェース１６に挿入されたＳＤメモリカード４０との間で各種データの書き込み及び読み出しを行う。
【００１４】
なお、ドライブレコーダ１０を車両の後方や側方、車内の様子を撮影する複数のカメラと接続し、これらカメラが撮影した画像をドライブレコーダ１０が記録するようにしてもよい。
【００１５】
事業所側システム１Ｂは、事業所に設けられる一台又は複数台のコンピュータ５１から構成されている。コンピュータ５１には、メモリカードインタフェース５２、表示器５３、及び入力器５４が接続されている。
【００１６】
メモリカードインタフェース５２は、ＳＤメモリカード４０が着脱自在に装着されるように構成されている。コンピュータ５１は、メモリカードインタフェース５２に挿入されたＳＤメモリカード４０との間で各種データの書き込み及び読み出しを行う。このように、事業所側システム１Ｂと車両側システム１Ａは、ＳＤメモリカード４０を介して各種データのやり取りが行えるように構成されている。なお、コンピュータ５１に、メモリカードインタフェース５２を搭載してもよい。
【００１７】
表示器５３は、各種データ等を表示可能な液晶ディスプレイ５３Ａを有している。入力器５４は、ユーザからの指示を入力可能な入力装置であって、キーボード５４Ａ及びマウス５４Ｂを有している。
【００１８】
ＳＤメモリカード４０は、車両側システム１Ａのメモリカードインタフェース１６及び事業所側システム１Ｂのメモリカードインタフェース５２を介して、読み書き可能に構成されている。ＳＤメモリカード４０は、書き込まれたデータを保持する不揮発性メモリである。ＳＤメモリカード４０は、各種データを記録可能な記憶領域４１と、記憶領域４１の各種データの読み書きを制御するメモリコントローラ４２と、を備えている。記憶領域４１の一例としてフラッシュメモリが使用される。メモリコントローラ４２は、ＳＤメモリカード４０がドライブレコーダ１０での使用に適しているＳＤメモリカードであることを示すロットナンバーやシリアルナンバー、プロダクトコード等の識別情報を記録している。
【００１９】
ＳＤメモリカードには、一つのメモリセルに１ビットの情報を記録可能なシングルレベルセル（ＳＬＣ）型のフラッシュメモリからなるものや、一つのメモリセルに２ビットの情報を記録可能なマルチレベルセル（ＭＬＣ）型のフラッシュメモリからなるもの等がある。本実施形態の特定のＳＤメモリカード４０としては、高信頼性のものが最適で、例えば、ＭＬＣ型ＳＤメモリカードよりも書込寿命（情報更新可能回数）が長く、かつデータ転送速度の速いＳＬＣ型ＳＤメモリカードが好適である。また、ＳＤメモリカード４０には、記憶領域４１やメモリコントローラ４２等を覆う筐体の機械的強度に優れ、且つメモリカードインタフェース１６との接点が摩耗に強いものを用いることが好ましい。
【００２０】
なお、レコーダシステム１では、各種データを記録する記録メディアとしてＳＤメモリカード４０を採用しているが、ＣＦカードやＵＳＢメモリスティック等を記録メディアとして採用してもよい。また、記憶領域４１に磁気メモリを使用した記録メディアを使用してもよい。
【００２１】
次に、図２を参照して、車両側システム１Ａの詳細について説明する。
【００２２】
車両側システム１Ａは、ドライブレコーダ１０と、当該ドライブレコーダ１０に接続される各種機器２１〜２９，３１〜３３と、を備える。
【００２３】
ドライブレコーダ１０は、各種条件値を含む動作設定条件に基づいてレコーダ動作を制御するコントローラ１１を備える。コントローラ１１は、中央演算装置（ＣＰＵ）１２、不揮発性メモリ（ＥＥＰＲＯＭ）１３、ランダムアクセスメモリ（ＲＡＭ）１４を備えたマイクロコンピュータである。コントローラ１１は、車両に搭載されたバッテリだけでなく、ドライブレコーダ１０に内蔵されたバックアップ用のサブバッテリ１５にも接続されている。
【００２４】
カメラ２１は、ＣＣＤイメージセンサ等から構成されるビデオカメラであって、コントローラ１１に接続されている。カメラ２１は車両前方の様子を撮影し、カメラ２１が撮影した画像（静止画）は画像データとしてコントローラ１１のＲＡＭ１４に記録される。コントローラ１１は、例えば１秒間当たり３０枚（３０フレーム）の画像データをＲＡＭ１４に記録するように構成されている。
【００２５】
マイク２２は、車外や車内の音声を集音する装置であって、コントローラ１１に接続されている。マイク２２によって集められた音声は、音声信号としてコントローラ１１に入力される。
【００２６】
加速度センサ２３は車両の加速度を検出するセンサであり、車速センサ２４は車両の速度を検出するセンサである。回転速度センサ２５は車両に搭載されたエンジンの回転速度を検出するセンサであり、バッテリ電圧センサ２６は車両に搭載されたバッテリの電圧を検出するセンサである。イグニッションスイッチ２７は、スタータスイッチであって、エンジンの始動及び停止に関わるスイッチである。これらセンサ２３〜２６及びイグニッションスイッチ２７からの各種信号は、コントローラ１１に入力される。
【００２７】
ＧＰＳ受信機２８は、複数のＧＰＳ衛星からの信号を受信して、車両の現在位置信号（緯度及び経度信号）を生成する。時計２９は、現在時刻を示す時刻信号をコントローラ１１に送信する。ＧＰＳ受信機２８からの現在位置信号及び時計２９からの時刻信号は、コントローラ１１に入力される。
【００２８】
カメラ２１、マイク２２、加速度センサ２３、ＧＰＳ受信機２８、及び時計２９はドライブレコーダ１０に内蔵されており、車速センサ２４、回転速度センサ２５、バッテリ電圧センサ２６、及びイグニッションスイッチ２７は車両に設けられている。
【００２９】
上記した各センサ類２２〜２９からの信号、つまり音声信号、加速度信号、車速信号、エンジン回転速度信号、バッテリ電圧信号、イグニッションオン・オフ信号、現在位置信号、及び時刻信号は、車両の現在の状態を示す車両状態情報を構成する。ドライブレコーダ１０のＲＡＭ１４（内蔵メモリ）には、所定時間周期で、カメラ２１の撮影画像データ及び車両状態情報が記録される。なお、上述した車両状態情報は、一例であり、上記以外の車両状態に関連する信号を含んでもよい。
【００３０】
また、ドライブレコーダ１０は、ＳＤメモリカード４０が抜き差しされるメモリカードインタフェース１６、モニタ３１を接続可能なモニタインタフェース１７、ＬＥＤ３２、及びスピーカ３３を備えている。
【００３１】
モニタ３１は、ドライブレコーダ１０のコントローラ１１からモニタインタフェース１７を通じて出力される出力画像信号に基づく画像を表示部に表示する表示装置である。モニタ３１は、モニタインタフェース１７に着脱自在に設けられる。モニタ３１は、カメラ２１が撮影中の画像を表示したり、所定の報知情報を表示したりする。なお、モニタ３１はドライブレコーダ１０と一体に形成してもよい。
【００３２】
ＬＥＤ３２は、ドライブレコーダ１０のコントローラ１１から出力される出力発光信号に基づいて点灯又は点滅する発光機器である。ＬＥＤ３２は、ドライブレコーダ１０に内蔵されており、レコーダ動作状態やＳＤメモリカード４０の種類等に応じて発光する。
【００３３】
スピーカ３３は、ドライブレコーダ１０のコントローラ１１から出力される出力音信号に基づいて音声を発する装置である。スピーカ３３は、ドライブレコーダ１０に内蔵されている。
【００３４】
上述したレコーダシステム１では、車両側システム１Ａのドライブレコーダ１０及び事業所側システム１Ｂのコンピュータ５１は、ＳＤメモリカード４０がドライブレコーダ１０での使用に適している特定のＳＤメモリカードであるか否かを識別するように構成されている。以下では、ドライブレコーダ１０及びコンピュータ５１によるＳＤメモリカード４０の識別処理について説明する。
【００３５】
まず、図３を参照して、ドライブレコーダ１０のコントローラ１１が実行する第１カード識別処理について説明する。第１カード識別処理は、ドライブレコーダ１０の起動時、及びイグニッションスイッチ２７がオンにされドライブレコーダ１０に電源が投入された後に、所定時間周期で実行される。第１カード識別処理は、メモリカードインタフェース１６にＳＤメモリカード４０が抜き差しされるタイミングで行うようにしてもよい。
【００３６】
コントローラ１１は、電源が投入されてドライブレコーダ１０が起動するレコーダ起動時か否かを判定する。このようにコントローラ１１は、ドライブレコーダ１０の起動を判定する起動判定部を有している。コントローラ１１は、ドライブレコーダ１０に電源が投入されてから、画像データ等の記録を開始するまでの間を、レコーダ起動時と判定する。
【００３７】
レコーダ起動時及びドライブレコーダ１０の起動後、コントローラ１１は、所定時間周期でＳ１１０の処理を実行する。
【００３８】
ステップ１１０（Ｓ１１０）では、コントローラ１１は、メモリカードインタフェース１６にＳＤメモリカード４０が挿入されているか否か、つまりドライブレコーダ１０にＳＤメモリカード４０がセットされているか否かを判定する。このようにコントローラ１１は、ＳＤメモリカード４０がドライブレコーダ１０にセットされているか否かを判定するセット判定部を有している。
【００３９】
ＳＤメモリカード４０がメモリカードインタフェース１６に挿入されている場合には、コントローラ１１はＳ１４０の処理を実行する。これに対して、ＳＤメモリカード４０がメモリカードインタフェース１６に挿入されていない場合には、コントローラ１１はＳ１２０の報知処理を実行する。
【００４０】
Ｓ１２０の報知処理において、コントローラ１１は、所定期間だけ、ＳＤメモリカード４０を挿入することを促す文字情報をモニタ３１に表示させたり、ＳＤメモリカード４０を挿入することを促す音声をスピーカ３３から出力させたりする。その後、Ｓ１３０において、コントローラ１１は、ＳＤメモリカード４０がメモリカードインタフェース１６に挿入されたか否かを判定する。コントローラ１１は、ＳＤメモリカード４０が挿入されていない場合にはＳ１２０の処理を改めて実行し、ＳＤメモリカード４０が挿入された場合にはＳ１４０の処理を実行する。
【００４１】
Ｓ１４０では、コントローラ１１は、ＳＤメモリカード４０がドライブレコーダ１０での使用に適した特定のＳＤメモリカードであるか否かを識別する識別処理を実行する。このようにコントローラ１１は、ＳＤメモリカード４０が特定のＳＤメモリカード（記録メディア）であるか否かを識別する識別部を有している。
【００４２】
Ｓ１４０の識別処理において、コントローラ１１は、ＳＤメモリカード４０のメモリコントローラ４２（図１参照）に対して呼び掛け信号を出力する。ＳＤメモリカード４０のメモリコントローラ４２は、呼び掛け信号を受信すると、呼び掛け信号に応じた応答信号をドライブレコーダ１０のコントローラ１１に出力する。ドライブレコーダ１０のコントローラ１１は、メモリコントローラ４２からの応答信号を解析して、セットされているＳＤメモリカード４０が特定のＳＤメモリカードであるか否かを識別する。ＳＤメモリカード４０のメモリコントローラ４２から送信される応答信号には、ＳＤメモリカードの種類や仕様等を識別可能な識別情報（例えばプロダクトコード、ロットナンバー、シリアルナンバーの少なくともいずれか）が含まれている。
【００４３】
より具体的に説明すると、コントローラ１１は、応答信号に含まれる識別情報とＥＥＰＲＯＭ１３に予め記録されている認証情報とを比較する。各情報が一致した場合には、メモリカードインタフェース１６に挿入されたＳＤメモリカード４０が特定のメモリカードであると判定される。例えば、認証情報は、複数の文字列や数字、又はこれらの組み合わせからなる。なお、ＥＥＰＲＯＭ１３には、複数の認証情報を記録しておいてもよい。
【００４４】
このように、ＥＥＰＲＯＭ１３には、特定のＳＤメモリカード４０に対応する認証情報が予め記録されている。認証情報は、ドライブレコーダ１０の製造時にＥＥＰＲＯＭ１３に記録される。また、ＥＥＰＲＯＭ１３に記録する認証情報を更新したい場合には、更新する認証情報をＳＤメモリカード４０に記録しておき、例えば、ドライブレコーダ１０に設けられたボタン（図示省略）を押しながら、ドライブレコーダ１０を起動する。この時に、ＳＤメモリカード４０に記録した認証情報をＥＥＰＲＯＭ１３に書き込んで、ＥＥＰＲＯＭ１３に記録されている認証情報を更新する。
【００４５】
なお、識別情報としてＳＤメモリカード４０に記録されたプロダクトコード、ロットナンバー、シリアルナンバー等を利用することが考えられるが、プロダクトコード等の一部分のみを識別に用いるようにしてもよい。特定のＳＤメモリカード４０として複数設定したい場合には、各記録メディアの識別情報の一部が共通していれば、ＥＥＰＲＯＭ１３に予め記録しておく認証情報を少なくでき、管理の手間を省くことができる。
【００４６】
コントローラ１１は、応答信号に含まれる識別情報に基づいてＳＤメモリカード４０が特定のＳＤメモリカードではないと判定した場合に、ステップＳ１５０の処理を実行する。なお、コントローラ１１は、呼び掛け信号に対してＳＤメモリカード４０から応答信号が送信されない場合にも、ステップＳ１５０の処理を実行してもよい。
【００４７】
Ｓ１５０では、コントローラ１１は、ＳＤメモリカード４０が特定のＳＤメモリカードではないことを運転者等に報知する報知処理を実行する。このように、コントローラ１１は、ＳＤメモリカード４０が特定のＳＤメモリカードでないこと（所定の報知情報）をユーザに報知する報知部を有している。
【００４８】
Ｓ１５０の報知処理では、コントローラ１１は、ドライブレコーダ１０に適した特定のＳＤメモリカードを使用することを運転者等に促す文字情報をモニタ３１に表示させる。この時、コントローラ１１は、ＬＥＤ３２を赤色で点滅させる等、ＬＥＤ３２を通常時とは異なる発光態様で発光させる。なお、コントローラ１１は、ＳＤメモリカード４０からの応答信号に応じて、報知処理での報知内容（報知情報）を変更してもよい。
【００４９】
Ｓ１４０の処理でＳＤメモリカード４０が特定のＳＤメモリカードであると判定された場合、又はＳ１５０の処理後に、コントローラ１１は第１カード識別処理を終了する。そして、コントローラ１１は、ドライブレコーダ１０の動作モードを各種データを記録する記録モードに設定する。これにより、カメラ２１の撮影画像データ及び車両状態情報が記録される。
【００５０】
記録モードに設定されたドライブレコーダ１０では、図３に示した第１カード識別処理とは別に、記録処理が実行される。この記録処理では、ＲＡＭ１４に記録された画像データが車両状態情報と合わせて逐次ＳＤメモリカード４０へと記録される。
【００５１】
なお、コントローラ１１は、ＲＯＭ１３に記録されている動作設定条件を読み込み、読み込んだ動作設定条件に基づいて画像データ等の記録を開始してもよい。この記録処理では、カメラ２１が撮影した画像の画像データ及び各種機器２２〜２９からの車両状態情報が、所定時間間隔で、コントローラ１１のＲＡＭ１４に記録される。ＲＡＭ１４には、現時刻から所定時間遡った一定時間までの画像データ及び車両状態情報が保存される。
【００５２】
このような記録処理中に、車両事故時の衝撃等によるイベントの発生が検出された場合には、ＲＡＭ１４に記録されている画像データ及び車両状態情報のうち、イベント発生前１２秒から発生後８秒までの合計２０秒間の画像データ及び車両状態情報を抜き出して、ＳＤメモリカード４０に記録する。また、記録処理中にイグニッションスイッチ２７がオフにされ、車両が停止する場合には、ＲＡＭ１４に記録されている全ての画像データ及び車両状態情報が、通常終了時データとしてＳＤメモリカード４０に書き込まれる。
【００５３】
ところで、レコーダ起動時でなく、記録モード中に第１カード識別処理が実行された場合、コントローラ１１は、Ｓ１３０の処理においてＳＤメモリカード４０がメモリカードインタフェース１６に挿入されたか否かを判定する。このようにコントローラ１１は、記録モード中にＳＤメモリカード４０がメモリカードインタフェース１６に装着された否かを判定する装着判定部を有している。
【００５４】
記録モード中にＳＤメモリカード４０がメモリカードインタフェース１６に挿入されたと判定された場合には、コントローラ１１は、挿入されたＳＤメモリカード４０がドライブレコーダ１０での使用に適した特定のＳＤメモリカードであるかを識別する。ＳＤメモリカード４０が特定のＳＤメモリカードであると識別された場合には、コントローラ１１は、Ｓ１５０の処理を実行せずに第１カード識別処理を終了して、動作モードを記録モードのまま維持する。これに対して、ＳＤメモリカード４０が特定のＳＤメモリカードでないと識別された場合には、コントローラ１１は、Ｓ１５０で報知処理を実行した後に第１カード識別処理を終了して、動作モードを記録モードのまま維持する。
【００５５】
ドライブレコーダ１０のコントローラ１１によって実行される第１カード識別処理では、ＳＤメモリカード４０がドライブレコーダ１０での使用に適した特定のＳＤメモリカードでない場合には、その旨を運転者等に報知するので、書込寿命が短く機械的強度の低いＳＤメモリカードが継続的に使用されることを抑制することが可能となる。
【００５６】
次に、図４を参照して、事業所側システム１Ｂのコンピュータ５１が実行する第２カード識別処理について説明する。第２カード識別処理は、コンピュータ５１が起動された後に実行される。
【００５７】
ステップ２１０（Ｓ２１０）では、コンピュータ５１は、ＳＤメモリカード４０がメモリカードインタフェース５２に挿入されているか否かを判定する。このようにコンピュータ５１は、ＳＤメモリカード４０がメモリカードインタフェース５２にセットされているか否かを判定するセット判定部を有している。
【００５８】
ＳＤメモリカード４０がメモリカードインタフェース５２に挿入されている場合には、コンピュータ５１はＳ２２０の処理を実行する。これに対して、ＳＤメモリカード４０がメモリカードインタフェース５２に挿入されていない場合には、コンピュータ５１はＳＤメモリカード４０がメモリカードインタフェース５２に挿入されるまで待機する。
【００５９】
Ｓ２２０では、コンピュータ５１は、ＳＤメモリカード４０がドライブレコーダ１０での使用に適した特定のＳＤメモリカードであるか否かを識別する識別処理を実行する。このように、コンピュータ５１は、ＳＤメモリカード４０が特定のＳＤメモリカード（記録メディア）であるか否かを識別する識別部を有している。
【００６０】
Ｓ２２０の識別処理は、図３のＳ１４０の処理と同様に構成されている。コンピュータ５１は、ＳＤメモリカード４０のメモリコントローラ４２に対して呼び掛け信号を出力し、この呼び掛け信号に対するメモリコントローラ４２からの応答信号を解析することで、セットされているＳＤメモリカード４０が特定のＳＤメモリカードであるか否かを識別する。
【００６１】
ＳＤメモリカード４０が特定のＳＤメモリカードではないと判定された場合には、コンピュータ５１はステップＳ２３０の処理を実行する。なお、コンピュータ５１は、呼び掛け信号に対してＳＤメモリカード４０から応答信号が送信されない場合にも、ステップＳ２３０の処理を実行してもよい。
【００６２】
Ｓ２３０では、コンピュータ５１は、ＳＤメモリカード４０が特定のＳＤメモリカードではないことをユーザ等に報知する報知処理を実行する。このようにコンピュータ５１は、ＳＤメモリカード４０が特定のＳＤメモリカードでないこと（所定の報知情報）をユーザに報知する報知部を有している。
【００６３】
Ｓ２３０の報知処理では、コンピュータ５１は、ドライブレコーダ１０に適した特定のＳＤメモリカードを使用することをユーザに促す文字情報等をモニタ３１に表示させる。
【００６４】
Ｓ２２０の処理でＳＤメモリカード４０が特定のＳＤメモリカードであると判定された場合、又はＳ２３０の処理後に、コンピュータ５１はＳ２４０の処理を実行する。
【００６５】
Ｓ２４０では、コンピュータ５１は、ＳＤメモリカード４０に記録されている各種データ（画像データ及び車両状態情報）を専用アプリケーションを用いて解析し、解析結果を表示器５３の液晶ディスプレイ５３Ａに表示する情報解析処理を実行する。コンピュータ５１は、Ｓ２４０の処理後、第２カード識別処理を終了する。
【００６６】
事業所側システム１Ｂのコンピュータ５１によって実行される第２カード識別処理では、ＳＤメモリカード４０がドライブレコーダ１０での使用に適した特定のＳＤメモリカードでない場合には、その旨をコンピュータ５１を使用するユーザ等に報知するので、書込寿命が短く機械的強度の低いＳＤメモリカードが継続的に使用されることを抑制することが可能となる。
【００６７】
上記した本実施形態によるレコーダシステム１によれば、以下の効果を奏する。
【００６８】
車両側システム１Ａのドライブレコーダ１０及び事業所側システム１Ｂのコンピュータ５１は、ＳＤメモリカード４０がドライブレコーダ１０での使用に適した特定のＳＤメモリカードでない場合に、その旨（所定の報知情報）を運転者やユーザ等に報知するので、書込寿命が短く機械的強度の低いＳＤメモリカードが継続的に使用されることを抑制できる。これにより、レコーダシステム１では高性能なＳＤメモリカード４０が使用されやすくなり、予想よりも早い時期にＳＤメモリカード４０が破損したりＳＤメモリカード４０に記録されている各種データが消失したりすることを抑制できる。その結果、レコーダシステム１を構成するドライブレコーダ１０やコンピュータ５１に対する信頼性を高めることが可能となる。
【００６９】
ドライブレコーダ１０及びコンピュータ５１は、ＳＤメモリカード４０のメモリコントローラ４２に対して呼び掛け信号を出力し、この呼び掛け信号に対するメモリコントローラ４２からの応答信号を解析して、セットされているＳＤメモリカード４０が特定のＳＤメモリカードであるかを識別するので、ＳＤメモリカード４０の種類等を誤って識別することがない。
【００７０】
ドライブレコーダ１０は、レコーダ起動時や、記録モード中にＳＤメモリカード４０がセットされたことを確認した時に、ＳＤメモリカード４０が特定のＳＤメモリカードであるかを識別し、識別結果に応じて報知処理を実行する。このようにユーザ等によって報知結果が認識されやすいタイミングで報知処理が実行されるので、効果的に報知情報を提供することができる。
【００７１】
レコーダシステム１では、高性能な特定のＳＤメモリカードを、ドライブレコーダ１０での使用に適した記録メディアとして採用したので、レコーダシステム１を構成するドライブレコーダ１０やコンピュータ５１に対する信頼性を確実に高めることが可能となる。
【００７２】
以上、本発明の実施形態について説明したが、上記実施形態は本発明の適用例の一部を示したに過ぎず、本発明の技術的範囲を上記実施形態の具体的構成に限定する趣旨ではない。
【００７３】
事業所側システム１Ｂのコンピュータ５１は、専用アプリケーションを用いて、ドライブレコーダ１０での使用に適した特定のＳＤメモリカード４０に専用フォーマットを施すように構成されてもよい。専用フォーマットを特定のＳＤメモリカード４０に施すことで、専用アプリケーションを有していないコンピュータではＳＤメモリカード４０の各種データを読み出すことができなくなり、データ保護機能を高めることが可能となる。なお、ドライブレコーダ１０のコントローラ１１は、ＳＤメモリカード４０の専用フォーマットの有無に基づいて、ＳＤメモリカード４０がドライブレコーダ１０での使用に適した特定のＳＤメモリカードであるか否かを識別してもよい。
【００７４】
また、ＥＥＰＲＯＭ１３に記録される認証情報だけでなく、ＳＤメモリカード４０に記録される識別情報を変更して、特定のＳＤメモリカード４０を任意に設定することもできる。例えば、ＳＤメモリカード４０の記憶領域４１のフォーマット以外では消えない領域（画像データが記録される領域とは異なる領域）に任意の文字列や数列等からなる識別情報を記録しておく。ＳＤメモリカード４０に記録される識別情報の変更作業は、事業所側システム１Ｂのコンピュータ５１によって行うことができる。つまり、コンピュータ５１にインストールされた専用アプリケーション（解析ソフト）にて、ＳＤメモリカード４０にフォーマットを施す。この時、ＳＤメモリカード４０の記憶領域４１のフォーマット以外では消えない領域に識別情報を記録しておく。そして、ドライブレコーダ１０又はコンピュータ５１によって、第１又は第２カード識別処理が行われる場合に、この識別情報を応答信号として読み出せばよい。これにより、特定のＳＤメモリカード４０を追加して設定する場合に、ドライブレコーダ１０のＥＥＰＲＯＭ１３を更新しなくてもよく、ユーザの利便性が向上する。また、上記のフォーマットをドライブレコーダ１０に対する専用フォーマットとすることで、専用フォーマットを扱うことができるドライブレコーダ１０でのみ、特定のＳＤメモリカード４０の識別が可能となる。
【００７５】
また、ドライブレコーダ１０での使用に適した特定のＳＤメモリカード４０のメモリコントローラ４２に暗号化キーを記録させてもよい。暗号化キーは、各種データを暗号化してＳＤメモリカード４０に記録するために使用されるものである。暗号化キーは、事業所側システム１Ｂのコンピュータ５１によりＳＤメモリカード４０のメモリコントローラ４２に登録される。なお、コンピュータ５１による情報解析処理（図４のＳ２４０参照）では、ＳＤメモリカード４０に暗号化された状態で記録されている各種データを、暗号化キーに基づいて専用アプリケーションにより解析し、その解析結果を液晶ディスプレイ５３Ａに表示する。このように暗号化キーを用いてＳＤメモリカード４０に記録される各種データを暗号化することで、データ保護機能を高めることが可能となる。
【００７６】
なお、暗号化キーによって、ＳＤメモリカード４０に記録した画像データ等のファイルの一部分のみを暗号化するようにしてもよい。ファイル全体を暗号化する場合に比べて、暗号化の処理を効率的に行うことができる。
【００７７】
また、コンピュータ５１でＳＤメモリカード４０を読み出す時に、第三者が勝手にデータを読み出せないようにパスワードを設定してもよい。専用アプリケーションでＳＤメモリカード４０を読み出す時に、所定のパスワードの入力を受け付ける。そして、ユーザが所定のパスワードを入力すると、ＳＤメモリカード４０に記録した画像データ等を読み出せるようになる。
【符号の説明】
【００７８】
１      レコーダシステム
１Ａ    車両側システム
１Ｂ    事業所側システム
１０    ドライブレコーダ
１１    コントローラ（識別部、報知部、装着判定部）
１６    メモリカードインタフェース（インタフェース）
２１    カメラ
３１    モニタ
３２    ＬＥＤ
３３    スピーカ
４０    ＳＤメモリカード（記録メディア）
４１    記憶領域
４２    メモリコントローラ
５１    コンピュータ
５２    メモリカードインタフェース
５３    表示器
５３Ａ  液晶ディスプレイ
【図１】
2014241038.tif 000003
【図２】
2014241038.tif 000004
【図３】
2014241038.tif 000005
【図４】
2014241038.tif 000006